(57)【特許請求の範囲】
【請求項１】
原稿に基づいて生成された画像を処理する画像処理プログラムであって、
未指定を含む原稿サイズの指定に基づいて、前記画像中の矩形図形の輪郭線の一部として該矩形の１辺または２辺を抽出し、該抽出した辺を含む前記矩形画像の輪郭線の全部を特定する輪郭抽出処理と、
前記輪郭抽出処理で特定した前記矩形図形の輪郭線を補正する輪郭線補正処理と、
前記輪郭線補正処理で補正された輪郭線に基づいて前記画像から矩形画像を切り出す画像切出処理と、
前記画像切出処理で切り出された矩形画像を直立させる直立補正処理と
をコンピュータに実行させることを特徴とする画像処理プログラム。
【請求項２】
原稿に基づいて生成された画像を処理する画像処理装置であって、
未指定を含む原稿サイズの指定に基づいて、前記画像中の矩形図形の輪郭線の一部として該矩形の１辺または２辺を抽出し、該抽出した辺を含む前記矩形画像の輪郭線の全部を特定する輪郭抽出手段と、
前記輪郭抽出手段で特定した前記矩形図形の輪郭線を補正する輪郭線補正手段と、
前記輪郭線補正手段により補正された輪郭線に基づいて前記画像から矩形画像を切り出す画像切出手段と、
前記画像切出手段により切り出された矩形画像を直立させる直立補正手段と
を具備することを特徴とする画像処理装置。
【請求項３】
原稿台上の原稿に基づいて画像を生成する画像読取装置であって、
原稿サイズの指定を受け付ける指定受付手段と、
前記原稿台と相対する面が黒色であり、該原稿台上に並べられた原稿を押さえる原稿押さえ手段と、
前記原稿台を光学的に走査して、該原稿台上に並べられた原稿に基づく画像を生成する画像生成手段と、
前記画像生成手段が生成した画像に対して画像処理を施す画像処理手段と
を具備し、
前記画像処理手段は、
前記指定受付手段が受け付けた未指定を含む原稿サイズの指定に基づいて、前記画像中の矩形図形の輪郭線の一部として該矩形の１辺または２辺を抽出し、該抽出した辺を含む前記矩形画像の輪郭線の全部を特定する輪郭抽出手段と、
前記輪郭抽出手段で特定した前記矩形図形の輪郭線を補正する輪郭線補正手段と、
前記輪郭線補正手段により補正された輪郭線に基づいて前記画像から矩形画像を切り出す画像切出手段と、
前記画像切出手段により切り出された矩形画像を直立させる直立補正手段と
を具備する
ことを特徴とする画像読取装置。
【請求項４】
前記画像処理手段が画像処理を施した画像を、前記指定受付手段が受け付けた原稿サイズに応じた用紙に印刷する画像形成手段をさらに具備することを特徴とする請求項３に記載の画像読取装置。
【発明の詳細な説明】
【技術分野】
【０００１】
本発明は、画像処理プログラムおよび画像処理装置、画像読取装置に関し、特に、原稿を読み取ることで生成された画像等を処理する画像処理プログラムおよび画像処理装置、原稿の読み取りを行う画像読取装置に関する。
【背景技術】
【０００２】
近年、複写装置等による原稿の複製が行われることは一般的であり、また、スキャナ等の画像読取装置で原稿を読み取って生成した画像や、デジタルカメラ等により撮影された画像等を、コンピュータ等の情報処理装置で電子文書として取り扱う機会も増加している。
【０００３】
画像読取装置等を利用する際には、これら装置の読み取り面である原稿台に載置する必要がありが、その際には、原稿台の所定の位置（原点）に原稿の角が合致するように原稿を読み取り面に載置することとなる。
【０００４】
なお、複写装置や画像読取装置に、原稿の読み取りを容易に行わせるために、自動原稿送り装置を設けた機器も存在する（例えば、特許文献１参照）。
【先行技術文献】
【特許文献】
【０００５】
【特許文献１】特開２０１１−８６９８８号公報
【発明の概要】
【発明が解決しようとする課題】
【０００６】
前述のように、複写装置や画像読取装置に自動原稿送り装置が設けられていない場合や、自動原稿送り装置に対応しない原稿等を読み取らせる場合には、当該原稿等を原稿台の所定の位置に載置する必要があった。
【０００７】
また、原稿等をデジタルカメラ等により撮影する場合には、原稿とカメラの相対位置に注意して撮影を行わなければ、その結果得られる画像を電子文書として利用する場合に、画像の回転やトリミング等の様々な画像処理を施す必要が生じることとなる。
【０００８】
そこで、本発明は、原稿台の任意の位置に載置した原稿に対しても、適切な画像化を行うことのできる画像処理プログラムおよび画像処理装置、画像読取装置を提供することを目的とする。
【課題を解決するための手段】
【０００９】
上述した目的を達成するため、請求項１の発明は、原稿に基づいて生成された画像を処理する画像処理プログラムであって、未指定を含む原稿サイズの指定に基づいて、前記画像中の矩形図形の輪郭線の一部として該矩形の１辺または２辺を抽出し、該抽出した辺を含む前記矩形画像の輪郭線の全部を特定する輪郭抽出処理と、前記輪郭抽出処理で特定した前記矩形図形の輪郭線を補正する輪郭線補正処理と、前記輪郭線補正処理で補正された輪郭線に基づいて前記画像から矩形画像を切り出す画像切出処理と、前記画像切出処理で切り出された矩形画像を直立させる直立補正処理とをコンピュータに実行させることを特徴とする。
【００１０】
また、請求項２の発明は、原稿に基づいて生成された画像を処理する画像処理装置であって、未指定を含む原稿サイズの指定に基づいて、前記画像中の矩形図形の輪郭線の一部として該矩形の１辺または２辺を抽出し、該抽出した辺を含む前記矩形画像の輪郭線の全部を特定する輪郭抽出手段と、前記輪郭抽出手段で特定した前記矩形図形の輪郭線を補正する輪郭線補正手段と、前記輪郭線補正手段により補正された輪郭線に基づいて前記画像から矩形画像を切り出す画像切出手段と、前記画像切出手段により切り出された矩形画像を直立させる直立補正手段とを具備することを特徴とする。
【００１１】
また、請求項３の発明は、原稿台上の原稿に基づいて画像を生成する画像読取装置であって、原稿サイズの指定を受け付ける指定受付手段と、前記原稿台と相対する面が黒色であり、該原稿台上に並べられた原稿を押さえる原稿押さえ手段と、前記原稿台を光学的に走査して、該原稿台上に並べられた原稿に基づく画像を生成する画像生成手段と、前記画像生成手段が生成した画像に対して画像処理を施す画像処理手段とを具備し、前記画像処理手段は、前記指定受付手段が受け付けた未指定を含む原稿サイズの指定に基づいて、前記画像中の矩形図形の輪郭線の一部として該矩形の１辺または２辺を抽出し、該抽出した辺を含む前記矩形画像の輪郭線の全部を特定する輪郭抽出手段と、前記輪郭抽出手段で特定した前記矩形図形の輪郭線を補正する輪郭線補正手段と、前記輪郭線補正手段により補正された輪郭線に基づいて前記画像から矩形画像を切り出す画像切出手段と、前記画像切出手段により切り出された矩形画像を直立させる直立補正手段とを具備することを特徴とする。
【００１２】
また、請求項４の発明は、請求項３の発明において、前記画像処理手段が画像処理を施した画像を、前記指定受付手段が受け付けた原稿サイズに応じた用紙に印刷する画像形成手段をさらに具備することを特徴とする。
【発明の効果】
【００１３】
本発明によれば、原稿を原稿台の任意の位置に載置した場合であっても、該原稿の大きさに応じた原稿の画像化が可能となる。詳述すれば、作業者が原稿を原稿台に載置する際に、原稿を載置する位置や向きを気にすることなく原稿の読み取りを行った場合でも、原稿の大きさに応じた原稿の画像化が可能であり、原稿が定型のものであれば補正が施された大きさで、原稿が非定型のものであれば当該原稿の大きさで原稿が画像化される。
【図面の簡単な説明】
【００１４】
【図１】画像処理装置の概略を説明するための図である。
【図２】画像処理装置１の構成例を示した図である。
【図３】画像処理装置１の機能的な構成の例を示すブロック図である。
【図４】画像処理装置１が処理対象とする画像データ４を説明するための図である。
【図５】輪郭線抽出処理を説明するための図である。
【図６】輪郭線抽出処理を説明するための図である。
【図７】輪郭線の抽出を中止する場合の例を説明するための図である。
【発明を実施するための形態】
【００１５】
以下、本発明に係る画像処理プログラムおよび画像処理装置、画像読取装置の一実施の形態について、添付図面を参照して詳細に説明する。
【実施例】
【００１６】
図１は、画像処理装置の概略を説明するための図である。同図に示すように、画像処理装置１は、スキャナ等の画像読取装置２や、デジタルカメラ等の撮影装置３で生成された画像データ４を取得し、取得した画像データ４に対して画像処理を施す。
【００１７】
画像処理装置１と画像読取装置２を接続する場合、画像読取装置２が原稿を読み取って生成した画像データ４を画像処理装置１に渡すことができればよいため、ＵＳＢ（Universal Serial Bus）等によるローカル接続や、ＬＡＮ（Local Area Network）等によるネットワーク接続を利用することができる。
【００１８】
また、撮影装置３から画像処理装置１へ画像データ４を渡す際には、各種の記憶メディアを用いることができる。
【００１９】
次に、画像処理装置１の構成について説明する。画像処理装置１は、汎用のコンピュータ等の情報処理装置を画像処理プログラムにしたがって動作させることで実現されるものであり、その構成は、例えば、図２に示すようなものとなる。
【００２０】
図２に示すように、画像処理装置１は、演算部１０と記憶部１１、一時記憶部１２、外部装置接続部１３、記憶装置接続部１４、記憶装置１５、入力装置接続部１６、入力装置１７、表示装置接続部１８、表示装置１９を有している。
【００２１】
演算部１０は、演算処理を行うもので、例えば、ＣＰＵ（Central Processing Unit）等のプロセッサに相当する。記憶部１１は、情報等を記憶するもので、例えば、ＲＯＭ（Read Only Memory）、不揮発性メモリ(Nonvolatile Memory)等のメモリに相当する。一時記憶部１２は、情報等を一時的に記憶するもので、例えば、ＲＡＭ（Random Access Memory）等のメモリに相当する。外部装置接続部１３は、画像読取装置２や記憶メディアを接続するインタフェイスとなるもので、例えば、ＵＳＢのインタフェイス等である。記憶装置接続部１４は、記憶装置１５を接続するためのインタフェイスである。記憶装置１５は、情報等を記憶するもので、例えば、磁気ディスクに相当する。入力装置接続部１６は、入力装置１７を接続するためのインタフェイスである。入力装置１７は、情報等を入力するもので、キーボードやポインティングデバイス等に相当するものである。表示装置接続部１８は、表示装置１９を接続するためのインタフェイスである。表示装置２０は、情報等を表示するもので、モニタディスプレイ等に相当するものである。
【００２２】
続いて、画像処理装置１の機能的な構成について説明する。図３は、画像処理装置１の機能的な構成の例を示すブロック図である。
【００２３】
同図に示すように、画像処理装置１は、画像取得部１００と、前処理部１０１、サイズ指定受付部１０２、矩形抽出処理部１０３、画像切出処理部１０４、直立補正処理部１０５、変換処理部１０６といった各機能部を有している。また、矩形抽出処理部１０３は、輪郭抽出処理部１３０と輪郭補正処理部１３１といった各機能部を有している。
【００２４】
これら各機能部は、コンピュータ等の情報処理装置を画像処理プログラムにしたがって動作させることで実現される。この画像処理プログラムは、記録媒体に記録して配布したり、ネットワーク等を利用した通信により配信することが可能なものである。
【００２５】
画像取得部１００は、画像読取装置２を動作させて画像データ４を取得するか、記憶メディア等から画像データ４を読み出す、ＬＡＮ等を介して受信して記憶装置１５に記憶された画像データ４をを読み出す等の処理を行い、画像データ４を処理対象として取得する。
【００２６】
前処理部１０１は、画像取得部１００が取得した画像データ４複製する。
【００２７】
サイズ指定受付部１０２は、入力装置１７から入力された抽出すべき画像のサイズ指定を受け付ける。受け付けるサイズ指定は、「Ａ４」、「Ａ５」、「Ｂ５」等の定型サイズの名称、「Ａ４縦」、「Ａ４横」等の定型サイズの名称と向き、縦と横のそれぞれの長さ、縦と横の一方の長さ及び縦横の比率等の抽出すべき画像のサイズを特定できるパラメータであり、これらのいずれかの指定を受け付ける。もちろん、受け付け可能なパラメータの種別は、設計時等に決定することができ、全ての種類のパラメータを受け付けるようにしてもよく、いずれか１つの種類、または、複数種類のパラメータを受け付けるようしてもよい。なお、サイズ指定受付部１０２が抽出すべき画像のサイズ指定を受け付けなかった場合でも、画像処理装置１は動作可能である。
【００２８】
矩形抽出処理部１０３は、前処理部１０１が複製した画像データから、抽出すべき矩形の画像を抽出する。
【００２９】
輪郭抽出処理部１３０は、前処理部１０１が複製した画像データから、当該画像中の輪郭線を抽出する。また、輪郭抽出処理部１３０は、輪郭線の一部を抽出したことで、サイズ指定受付部１０２が受け付けた抽出すべき画像のサイズ指定に基づいて前処理部１０１が複製した画像データから当該画像中の輪郭線を特定可能となった場合には、以後の輪郭線の抽出を中止する。
【００３０】
輪郭補正処理部１３１は、輪郭抽出処理部１３０が抽出した輪郭線に囲まれた図形をサイズ指定受付部１０２が受け付けたサイズ指定に基づいて補正する。また、サイズ指定受付部１０２がサイズ指定を受け付けなかった場合でも、輪郭抽出処理部１３０が抽出した輪郭線に囲まれた図形が定型サイズに近いものであった場合、例えば、予め定めた閾値内の図形を定型サイズに補正することもできる。もちろん、サイズ指定受付部１０２がサイズ指定を受け付けなかった場合には、補正を行わないようにすることもでき、これらの判断は、設計時の決定または登録された設定に従うようにすることができる。
【００３１】
画像切出処理部１０４は、前処理部１０１が複製した画像の元となる元画像、つまり、画像取得部１００が取得した画像データ４から、矩形抽出処理部１０３が抽出した矩形の輪郭線にしたがって、部分画像を切り出す。
【００３２】
直立補正処理部１０５は、画像切出処理部１０４が切り出した部分画像を、当該部分画像が直立するように補正する。
【００３３】
変換処理部１０６は、直立補正処理部１０５が補正した部分画像を予め指定された形式に変換し、その結果をファイルとして記憶装置１５に保存する。また、記憶装置１５に保存したファイルに基づいて、外部装置接続部１３に接続されたプリンタ等の画像形成装置から部分画像の印刷出力を行ってもよい。
【００３４】
次に、画像処理装置１の各機能部による処理の詳細を、画像処理装置１による画像処理の流れとともに説明する。
【００３５】
最初に、画像処理装置１が処理対象とする画像データ４について説明する。画像読取装置２で原稿を読み取って画像データ４を生成する場合、図４（ａ）に示すように、画像読取装置２の原稿台（ガラス台）２０の任意の位置に原稿４０を載置する。原稿４０を載置する位置は任意であるため、従来、原稿の位置合わせに用いていた原点２１は無視しても良い。
【００３６】
また、画像データ４を生成する画像読取装置２は、原稿４０の読取時に原稿４０を押さえる役割を果たす原稿台カバー２２のうち、少なくとも原稿台２０と相対する面２３は、特定の色、例えば、黒色である構成となっている。この特定の色は、原稿４０の下地色と異なる色であれば他の色であってもよい。
【００３７】
この図４（ａ）に示した画像読取装置２で原稿４０を読み取った結果、画像データ４は、図４（ｂ）に示すような画像を示すデータとなる。
【００３８】
なお、原稿台カバー２３の原稿台２０と相対する面２３が特定の色である画像読取装置２を用いる代わりに、一般の画像読取装置を用い、その画像読取装置の原稿台に原稿を載置し、その上に当該原稿よりも大きな特定色のシートを重ねて当該画像読取装置を動作させることでも、画像データ４を生成することが可能である。
【００３９】
一方、デジタルカメラ等の撮影装置３で画像データ４を生成する場合には、机上等に黒色等の特定の色のシートを載置し、そのシート上に原稿を載置して、これを撮影装置３で撮影することで、図４（ｂ）に示すような画像を示す画像データ４を生成することができる。もちろん、壁等に黒色等の特定の色のシートと原稿を貼り付け、これを撮影することでも同様の画像データ４を生成することができる。
【００４０】
続いて、画像取得部１００が取得した画像データ４に対して、前処理部１０１が、前処理を施す。前処理部１０１が施す前処理は、画像取得部１００が取得した画像データ４を複製する処理である。なお、以下では、便宜上、画像取得部１００が取得した画像データ４を元画像と称し、前処理部１０１が複製した画像を複製画像と称する。
【００４１】
次に、前処理部１０１が複製した複製画像に対して、矩形抽出処理部１０３が当該複製画像から矩形部分を抽出する矩形抽出処理を行う。
【００４２】
矩形抽出処理では、まず、輪郭抽出処理部１３０が抽出する矩形の輪郭線を抽出する処理を行う。輪郭抽出処理部１３０は、輪郭線の抽出に先立ち、まず、複製画像を各画素が１ビットで表現される２値画像に変換する。そして、輪郭抽出処理部１３０は、２値化した複製画像から外枠を除去する外枠除去処理を行う。外枠とは、画像読取装置２の枠消し機能等により生じる白枠であり、外枠除去処理は、この白枠の各画素を、黒画素に変換するものである。続いて、輪郭抽出処理部１３０は、外枠除去処理が施された複製画像から、当該画像中に存在する原稿４０の輪郭線に相当する矩形の輪郭線、つまり、白画素の塊の輪郭線を抽出する。
【００４３】
ここで、輪郭線抽出処理について説明する。図５および図６は、輪郭線抽出処理を説明するための図である。ここでは、輪郭線抽出処理を施す複製画像は、図５（ａ）に示す８×８画素のもので、白画素の塊が１つ存在するものとする。なお、図５および図６中の斜線を施した正方形は黒画素を示し、他の正方形は、白画素を示す。また、正方形内に円を描画しているものは、輪郭線として抽出された画素を示すものである。
【００４４】
輪郭線抽出処理では、輪郭抽出処理部１３０は、まず、ラスタスキャンによる白画素の有無の確認、つまり、図５（ａ）中の左上の画素Ｐ１１から画素Ｐ１２の方向に順に画素Ｐ１８まで白画素の有無を確認し、画素Ｐ１８までに白画素が無ければ、次段の画素Ｐ２１から、同様に白画素の有無を確認する。その結果、画素Ｐ２５が白画素であるので、この画素Ｐ２５を始点として、輪郭線の追跡を開始する。
【００４５】
輪郭線の追跡では、処理対象の画素の周りの８画素を反時計方向に順に確認する。処理対象が画素Ｐ２５である場合には、その周りの８画素のうち、直前に処理対象であった画素Ｐ２４から反時計方向に隣接する画素Ｐ３４を始点として白画素の確認を行う（図５（ｂ）参照）。そして、最初に白画素であることが確認された画素、この場合、画素Ｐ３４を輪郭線の進行方向とする。
【００４６】
続いて、画素Ｐ３４を処理対象として、その周りの８画素のうち、直前に処理対象であった画素Ｐ２５から反時計方向に隣接する画素Ｐ２４を始点として白画素の確認を行う（図５（ｃ）参照）。この場合、画素Ｐ２４、画素Ｐ２３、画素Ｐ３３、画素Ｐ４３の順に白画素であるか否かの確認を行い、最初に白画素であることが確認された画素Ｐ４３を輪郭線の進行方向とする。
【００４７】
そして、同様の処理を行い、画素Ｐ４３における輪郭線の進行方向を画素Ｐ５２（図５（ｄ）参照）、画素Ｐ５２における輪郭線の進行方向を画素Ｐ６２（図５（ｅ）参照）、画素Ｐ６２における輪郭線の進行方向を画素Ｐ７３（図６（ａ）参照）、画素Ｐ７３における輪郭線の進行方向を画素Ｐ７４（図６（ｂ）参照）、といったように、輪郭線の追跡を行い、輪郭線の進行方向として特定した画素が始点であった画素Ｐ２５となった場合に、輪郭線の追跡を終了する（図６（ｃ）参照）。
【００４８】
ところで、前述したように、輪郭抽出処理部１３０は、輪郭線の一部を抽出したことで、サイズ指定受付部１０２が受け付けた抽出すべき画像のサイズ指定に基づいて輪郭線の全体を特定可能となった場合には、以後の輪郭線の抽出を中止する。
【００４９】
ここで、輪郭線の抽出を中止する場合の例を説明する。例えば、図７（ａ）に示すような輪郭線を抽出する場合、サイズ指定受付部１０２が受け付けたサイズ指定が、「Ａ４」、「Ａ５」、「Ｂ５」等の定型サイズの名称、「Ａ４縦」、「Ａ４横」等の定型サイズの名称と向き、縦と横のそれぞれの長さのいずれかである場合、図７（ｂ）に示すように、矩形のうちの１辺を抽出した段階で輪郭線の抽出を中止する。これは、サイズ指定されたパラメータによって、矩形の長辺の長さと短辺の長さの両者を特定できるからである。また、サイズ指定受付部１０２が受け付けたサイズ指定が、縦と横の一方の長さ及び縦横の比率である場合に、図７（ｂ）に示した矩形の１辺の長さが指定された長さと一致する場合にも、矩形のうちの１辺を抽出した段階で輪郭線の抽出を中止する。
【００５０】
サイズ指定受付部１０２が受け付けたサイズ指定がその他の場合や、サイズ指定受付部１０２がサイズ指定を受け付けなかった場合には、図７（ｃ）に示すように、矩形のうちの２辺を抽出した段階で輪郭線の抽出を中止する。
【００５１】
なお、画像データ４が撮影装置３で撮影されたものである場合には、サイズ指定受付部１０２が受け付けたサイズ指定が「Ａ４」等であったとしても、画像データ４中の矩形が原寸であるとは限らないため、矩形のうちの２辺を抽出した段階で輪郭線の抽出を中止することになる場合もある。
【００５２】
次に、輪郭抽出処理部１３０が抽出した輪郭線に対して、輪郭補正処理部１３１が輪郭補正処理を施す。
【００５３】
輪郭線補正処理部１３１は、輪郭抽出処理部１３０が抽出した輪郭線に対して直線化の処理を施す。具体的には、輪郭線上または輪郭線の近傍に黒色等の特定色の画素が残存していた場合に、当該画素の色を原稿の下地色に変換する処理を施す。
【００５４】
なお、輪郭線補正処理部１３１は、画像データ４が撮影装置３で撮影されたものである場合等で、サイズ指定受付部１０２が受け付けたサイズ指定と矩形の大きさが異なる場合には、画像に対して拡縮処理を施すようにしてもよい。
【００５５】
矩形抽出処理部１０３による矩形抽出処理が終了すると、画像切出処理部１０４が、元画像（画像データ４）から矩形抽出処理部１０３が抽出した矩形画像に相当する部分を部分画像として切り出す。
【００５６】
続いて、直立補正処理部１０５が、画像切出処理部１０４が切り出した部分画像に対して直立補正処理を施す。この直立補正処理は、矩形の長辺または短辺が水平方向となるように、部分画像に回転処理を施す処理である。なお、長辺と短辺のいずれかを水平方向に一致させるかは予め定めた設定にしたがって行うものとするが、サイズ指定受付部１０２が受け付けたサイズ指定が、「Ａ４縦」、「Ａ４横」等の定型サイズの名称と向き、縦と横のそれぞれの長さのいずれかであった場合、当該サイズ指定にしたがって長辺と短辺のいずれかを水平方向に一致させるように部分画像に回転処理を施す。
【００５７】
最後に、変換処理部１０６が、直立補正処理部１０５で直立補正処理が施された画像を、指定された画像ファイルの形式に変換してその結果を記憶装置１５に保存する。
【００５８】
なお、前述したように、画像処理装置１は、汎用のコンピュータ等の情報処理装置を画像処理プログラムにしたがって動作させることで実現するものであるが、同様のプログラム、つまり、図３に示した各機能部を実現するプログラムを、画像読取装置の画像処理部で動作させ、前述した画像処理装置１の機能を有する画像読取装置を実現することができる。この場合、当該画像読取装置の原稿台カバーを黒色等の特定の色にするか、任意の色に変更可能な構成とすることで、原稿に特定の色のシートを重ねる等の作業を行う必要もなくなる。
【００５９】
同様に、図３に示した各機能部を実現するプログラムを、複写装置の画像処理部で動作させ、前述した画像処理装置１の機能を有する複写装置を実現することができる。この場合、当該複写装置の原稿台カバーを黒色等の特定の色にするか、任意の色に変更可能な構成とすることで、原稿に特定の色のシートを重ねる等の作業を行う必要もなくなる。
【符号の説明】
【００６０】
１    画像処理装置
２    画像読取装置
３    撮影装置
１０    演算部
１１    記憶部
１２    一時記憶部
１３    外部装置接続部
１４    記憶装置接続部
１５    記憶装置
１６    入力装置接続部
１７    入力装置
１８    表示装置接続部
１９    表示装置
２０    原稿台
２１    原点
２２    原稿台カバー
２３    原稿台カバーの原稿台との相対面
４０    原稿
１００    画像取得部
１０１    前処理部
１０２    サイズ指定受付部
１０３    矩形抽出処理部
１０４    画像切出処理部
１０５    直立補正処理部
１０６    変換処理部
１３０    輪郭抽出処理部
１３１    輪郭補正処理部
Ｐ１１〜Ｐ７４    画素
【図１】
0005944221.tif 000002
【図２】
0005944221.tif 000003
【図３】
0005944221.tif 000004
【図４】
0005944221.tif 000005
【図５】
0005944221.tif 000006
【図６】
0005944221.tif 000007
【図７】
0005944221.tif 000008